【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
情報推薦を生成する方法であって：
クライアントによって第１のサーバに送信されたテキストデータを取得するステップと；
所定の情報推薦ルールセットが前記テキストデータとの照合に用いられる情報推薦ルールを含むか否かを特定するステップであって、前記情報推薦ルールは、推薦する情報に基づいて設定される、ステップと；
前記所定の情報推薦ルールセットが、前記テキストデータと一致する前記情報推薦ルールを含む場合、前記一致する情報推薦ルールに一致し第２のサーバによって提供される前記推薦する情報を取得するステップと；を備える、
情報推薦を生成する方法。
【請求項２】
前記第２のサーバによって提供される前記推薦する情報を取得するステップは：
前記推薦する情報をプッシュするために前記第２のサーバをトリガして前記第２のサーバよりプッシュされるべき前記推薦する情報を取得するステップ；又は、
前記推薦する情報を第２のサーバからダウンロードするステップ；を備える、
請求項１に記載の方法。
【請求項３】
前記推薦する情報をプッシュするために前記第２のサーバをトリガするステップは：
前記第２のサーバに情報の取得要求を直接送信し、前記情報の取得要求に応じて前記第２のサーバが送信する前記推薦する情報を受信するステップ；又は、
情報の取得要求を前記第２のサーバに送信するように情報プッシュ型アプリケーションをトリガし、前記情報の取得要求に応じて前記第２のサーバが送信する前記推薦する情報を、前記情報プッシュ型アプリケーションを用いて受信するステップ；を備える、
請求項２に記載の方法。
【請求項４】
前記情報の取得要求は、前記推薦する情報の特徴を備える、
請求項３に記載の方法。
【請求項５】
前記推薦する情報の特徴は：
前記推薦する情報のテーマ；
前記推薦する情報のキーワード；
前記推薦する情報の数；
前記推薦する情報に対応する情報推薦ルールの識別子；のうちの少なくとも１つを備える、
請求項４に記載の方法。
【請求項６】
前記情報推薦ルールセット内の情報推薦ルール毎に、１つのテーマ及び前記テーマに対応する少なくとも１つのキーワードが設定され；前記第２のサーバに前記情報の取得要求を送信するステップは：
前記情報推薦ルールセットが、前記テキストデータと一致する少なくとも２つの情報推薦ルールを含む場合に、前記少なくとも２つの情報推薦ルール中のキーワードに対して個別に特定された重みに基づいて、前記少なくとも２つの情報推薦ルールから一の情報推薦ルールを選択するステップと；
前記選択された情報推薦ルールで特定されたテーマを前記情報の取得要求に追加するステップと；
前記情報の取得要求を前記第２のサーバに送信するステップと；を備える、
請求項５に記載の方法。
【請求項７】
クライアントによって前記第１のサーバに送信されるテキストデータを取得するステップは：
前記クライアントによって前記第１のサーバに送信された前記テキストデータを前記第１のサーバから取得するステップ；又は、前記クライアントによって送信された前記テキストデータを受信するステップを備え、前記クライアントによって送信された前記テキストデータは、前記クライアントによって送信された前記テキストデータを前記第１のサーバにコピーすることによって得られる、
請求項１乃至請求項６のいずれか１項に記載の方法。
【請求項８】
情報推薦ルールセットがテキストデータと一致する情報推薦ルールを含むか否かを特定するステップの前に：
前記第２のサーバによって提供される情報推薦ルールセットを取得し保存するステップを更に備える、
請求項１乃至請求項７のいずれか１項に記載の方法。
【請求項９】
前記テキストデータとの照合は、一致するノードのセットを作成するステップを備える、
請求項１に記載の方法。
【請求項１０】
照合は、トライ木の各ノードに割り当てられ文字が前記テキストデータ内で検索することができると特定するステップと、前記テキストデータが前記情報推薦ルールに適合していることを示すステップとを備える、
請求項１乃至請求項８のいずれか１項に記載の方法。
【請求項１１】
前記テーマを備える前記推薦する情報を前記クライアントに送信するステップを更に備える、
請求項１に記載の方法。
【請求項１２】
前記情報推薦ルールが前記テキストデータと一致することは、前記情報推薦ルールに基づいて構築されたトライ木内の複数のキーワードを検索することを備える、
請求項１に記載の方法。
【請求項１３】
前記テキストデータは、複数のキーワードと、前記複数のキーワードに基づいて統計的に特定されるテーマとを備える、
請求項１に記載の方法。
【請求項１４】
請求項１乃至請求項１３のいずれか１項に記載の方法を実行するように構成された複数のモジュールを備える、
情報推薦を生成するための装置。
【手続補正２】
【補正対象書類名】明細書
【補正対象項目名】０１１２
【補正方法】変更
【補正の内容】
【０１１２】
先の実施の形態は本開示の一実施の形態にすぎず、本願を限定することを意図してはいない。当業者は、本願に様々な修正及び変更を加えることができる。本願の主旨及び原理から逸脱することなくなされた修正、均等物との置換え、改良はいずれも、本開示の特許請求の範囲に含まれる。
以下、本発明の実施の態様の例を列挙する。
［第１の局面］
情報推薦方法であって：
クライアントによって第１のサーバに送信されたテキストデータを取得するステップと；
所定の情報推薦ルールセットが前記テキストデータと一致する情報推薦ルールを含むか否かを特定するステップであって、前記情報推薦ルールは、推薦する情報に基づいて設定される、ステップと；
前記所定の情報推薦ルールセットが、前記テキストデータと一致する情報推薦ルールを含む場合、前記一致する情報推薦ルールに一致し第２のサーバによって提供される推薦する情報を取得するステップと；を備える、
情報推薦方法。
［第２の局面］
前記第２のサーバによって提供される推薦する情報を取得する前記ステップは：
前記推薦する情報をプッシュするために前記第２のサーバをトリガして前記第２のサーバよりプッシュされるべき前記推薦する情報を取得するステップ；又は、前記推薦する情報を第２のサーバからダウンロードするステップ；を備える、
第１の局面に記載の情報推薦方法。
［第３の局面］
前記推薦する情報をプッシュするために前記第２のサーバをトリガする前記ステップは：
前記第２のサーバに情報の取得要求を直接送信し、前記情報の取得要求に応じて前記第２のサーバが送信する前記推薦する情報を受信するステップ；又は、情報の取得要求を前記第２のサーバに送信するように情報プッシュ型アプリケーションをトリガし、前記情報の取得要求に応じて前記第２のサーバが送信する前記推薦する情報を、前記情報プッシュ型アプリケーションを用いて受信するステップ；を備える、
第２の局面に記載の情報推薦方法。
［第４の局面］
前記情報の取得要求は、前記推薦する情報の特徴を備える、
第３の局面に記載の情報推薦方法。
［第５の局面］
前記推薦する情報の特徴は：
前記推薦する情報のテーマ；
前記推薦する情報のキーワード；
前記推薦する情報の数；
前記推薦する情報に対応する情報推薦ルールの識別子；のうちの少なくとも１つを備える、
第４の局面に記載の情報推薦方法。
［第６の局面］
前記情報推薦ルールセット内の情報推薦ルール毎に、１つのテーマ及び前記テーマに対応する少なくとも１つのキーワードが設定され；前記第２のサーバに情報の取得要求を送信する前記ステップは：
前記情報推薦ルールセットが、前記テキストデータと一致する少なくとも２つの情報推薦ルールを含む場合に、前記少なくとも２つの情報推薦ルール中のキーワードに対して個別に特定された重みに基づいて、前記少なくとも２つの情報推薦ルールから一の情報推薦ルールを選択するステップと；
前記選択された情報推薦ルールで特定されたテーマを前記情報の取得要求に追加し、この情報の取得要求を前記第２のサーバに送信するステップと；を備える、
第５の局面に記載の情報推薦方法。
［第７の局面］
クライアントによって第１のサーバに送信されるテキストデータを取得する前記ステップは：
前記クライアントによって前記第１のサーバに送信された前記テキストデータを前記第１のサーバから取得するステップ；又は、前記クライアントによって送信された前記テキストデータを受信するステップを備え、前記クライアントによって送信された前記テキストデータは、前記クライアントによって送信された前記テキストデータを前記第１のサーバにコピーすることによって得られる、
第１の局面に記載の情報推薦方法。
［第８の局面］
情報推薦ルールセットがテキストデータと一致する情報推薦ルールを含むか否かを特定するステップの前に：
前記第２のサーバによって提供される情報推薦ルールセットを取得し保存するステップを更に備える、
第１の局面に記載の情報推薦方法。
［第９の局面］
情報推薦装置であって：
クライアントから第１のサーバに送信されたテキストデータを取得するテキストデータ取得部と；
所定の情報推薦ルールセットが前記テキストデータと一致する情報推薦ルールを含むか否かを特定する情報推薦ルール決定部であって、前記情報推薦ルールが推薦する情報に基づいて設定された、前記情報推薦ルール決定部と；
前記所定の情報推薦ルールセットが前記テキストデータと一致する情報推薦ルールを含む場合に、前記一致する情報推薦ルールに一致し第２のサーバによって提供される推薦する情報を取得する推薦情報取得部と；を備える、
情報推薦装置。
［第１０の局面］
前記推薦情報取得部は：
前記推薦する情報をプッシュするために前記第２のサーバをトリガして前記第２のサーバよりプッシュされるべき前記推薦する情報を取得する；又は、前記推薦する情報を前記第２のサーバからダウンロードする、
第９の局面に記載の情報推薦装置。
［第１１の局面］
前記推薦情報取得部は：
前記第２のサーバに情報の取得要求を直接送信し、前記情報の取得要求に応じて、前記第２のサーバが送信する推薦する情報を受信する；又は、情報の取得要求を前記第２のサーバに送信するように情報プッシュ型アプリケーションをトリガし、前記情報の取得要求に応じて前記第２のサーバが送信する前記推薦する情報を前記情報プッシュ型アプリケーションを用いて受信する、
第１０の局面に記載の情報推薦装置。
［第１２の局面］
前記情報の取得要求は、前記推薦する情報の特徴を備える、
第１１の局面に記載の情報推薦装置。
［第１３の局面］
前記推薦する情報の特徴は：
前記推薦する情報のテーマ；
前記推薦する情報のキーワード；
前記推薦する情報の数；
前記推薦する情報に対応する情報推薦ルールの識別子；のうちの少なくとも１つを備える、
第１２の局面に記載の情報推薦装置。
［第１４の局面］
前記推薦情報取得部は：
前記情報推薦ルールセット内の情報推薦ルール毎に、１つのテーマと前記テーマに対応する少なくとも１つのキーワードが設定されている場合において、前記情報推薦ルールセットが、前記テキストデータと一致する情報推薦ルールを少なくとも２つ含むとき、前記少なくとも２つの情報推薦ルール中のキーワードに個別に特定された重みに基づいて、前記少なくとも２つの情報推薦ルールから一の情報推薦ルールを選択し、前記選択された情報推薦ルールで特定されたテーマを前記情報の取得要求に追加し、この情報の取得要求を前記第２のサーバに送信する、
第１３の局面に記載の情報推薦装置。
［第１５の局面］
前記テキストデータ取得部は；
前記クライアントから前記第１のサーバに送信された前記テキストデータを前記第１のサーバから取得し；又は、前記クライアントによって送信された前記テキストデータを受信し、前記クライアントによって送信された前記テキストデータは、前記クライアントによって送信された前記テキストデータを前記第１のサーバにコピーすることによって得られる、
第９の局面に記載の情報推薦装置。
［第１６の局面］
前記情報推薦ルール決定部は：
前記情報推薦ルールセットが前記テキストデータと一致する情報推薦ルールを含むか否かを特定する前に、前記第２のサーバによって提供される情報推薦ルールセットを取得し保存する、
第９の局面に記載の情報推薦装置。